(57)【要約】【課題】自動メニューのレシピ情報を可搬型読取装置で読み取り可能な光学的データパターンで表示し使い勝手を向上させる。【解決手段】加熱調理器は、加熱手段と、加熱手段を制御する制御手段と、調理メニューを選択する選択手段と、記憶手段と、表示手段と、表示制御手段を備え、表示制御手段は、選択手段により自動調理メニューを選択されると、記憶手段に記憶されている調理方法の中から該当する自動調理メニューの材料、分量、手順などの非加熱制御情報、リンクを伴わない文字列、およびリンクを伴う文字列または図形、の少なくともどちらか一方を含む可搬型読取装置で読み取り可能な光学的データパターンで表示手段に表示する。これにより、ユーザは自動調理メニューを決め可搬型読取装置で読み取るだけでクックブックを用意する必要なく簡単にレシピを取得かつ自由な場所で確認でき使い勝手を向上できる。【選択図】図１
2012251723.tif 000002
【特許請求の範囲】
【請求項１】
被加熱物を加熱するための加熱手段と、前記加熱手段を制御する制御手段と、調理メニューを選択する選択手段と、少なくとも調理方法および表示データを記憶している記憶手段と、前記記憶手段に記憶されている情報および加熱制御状態を表示する表示手段と、前記表示手段を制御する表示制御手段を備え、前記記憶手段に記憶される調理方法は、少なくとも、加熱調理器を制御する加熱条件からなる加熱制御情報と、材料、分量、手順を含む非加熱制御情報とを有し、前記表示制御手段は、前記選択手段により自動調理メニューを選択されると、前記記憶手段に記憶されている調理方法の中から該当する自動調理メニューの調理方法を取得し、前記非加熱制御情報を、リンクを伴わない文字列、およびリンクを伴う文字列または図形、の少なくともどちらか一方を含む可搬型読取装置で読み取り可能な光学的データパターンで前記表示手段に表示することを特徴とする加熱調理器。
【請求項２】
前記光学的データパターンは、少なくとも材料と分量を含むリンクを伴わない文字列を含むことを特徴とする請求項１に記載の加熱調理器
【請求項３】
前記記憶手段に記憶される調理方法は、同一の加熱制御情報で調理可能な他の料理の非加熱制御情報を含み、前記光学的データパターンは、前記選択手段により選択された自動調理メニューと同一の加熱制御情報で調理可能な他の料理の非加熱制御情報へのリンクを伴う文字列または図形を少なくとも１つ含むことを特徴とする請求項１または請求項２に記載の加熱調理器
【請求項４】
自動調理メニューの料理と同一の加熱制御情報で調理可能で自動調理メニューとしては登録されていない料理を選択するための応用メニューをさらに備え、前記制御手段は、前記選択手段により選択された自動調理メニューが調理された回数をカウントして前記記憶手段に記憶し、前記記憶手段に記憶される自動調理メニューの調理回数が一定回数を超えたことを検出すると、前記自動調理メニューを応用メニューとして前記記憶手段に記憶し、前記表示制御手段は、前記選択手段により応用メニューを選択されると、前記記憶手段に記憶されている応用メニューを参照し、応用メニューとして記憶されている自動調理メニューと同一の加熱制御情報で調理可能な他の料理の非加熱制御情報を、リンクを伴わない文字列、およびリンクを伴う文字列または図形、の少なくともどちらか一方を含む可搬型読取装置で読み取り可能な光学的データパターンで前記表示手段に表示することを特徴とする請求項３に記載の加熱調理器
【請求項５】
被加熱物を加熱するための加熱手段と、加熱手段を制御する制御手段と、調理メニューを選択する選択手段と、少なくとも調理方法および表示データを記憶している記憶手段と、記憶手段に記憶されている情報および加熱制御状態を表示する表示手段と、表示手段を制御する表示制御手段を備え、選択手段により自動調理メニューが選択されると、記憶手段に記憶されている調理方法の中から該当する自動調理メニューの調理方法を、リンクを伴わない文字列、およびリンクを伴う文字列または図形、の少なくともどちらか一方を含む光学的データパターンで表示手段に表示する加熱調理器の料理レシピ表示方法。
【請求項６】
コンピュータに請求項１〜４のいずれか１項に記載の加熱調理器の少なくとも一部を実行させるためのプログラム
【発明の詳細な説明】
【技術分野】
【０００１】
本発明は自動調理メニューを備えた加熱調理器に関するものである。
【背景技術】
【０００２】
近年、加熱手段を自動制御して調理する自動メニュー機能を搭載した加熱調理器が数多く発売されている。自動メニュー機能で調理可能なメニューは年々増加され、ユーザは多彩な調理メニューを加熱時間や加熱温度などの複雑な設定なく調理することが可能となっている。
【０００３】
しかしながら、加熱手段を自動制御するためには付属のクックブックに記載された材料を正しい分量準備し予め定められた手順にて下準備を行っておかなければならない。
【０００４】
ところが、クックブックには次のような課題がある。まず、材料準備中に使用することによる汚損、長年の使用による破損、紛失などにより使えない状況が発生することが考えられる。
【０００５】
また、調理できるメニュー数が増えることで厚く、大きくなり、その結果、作りたい料理を探すのに手間がかかったり、大きなクックブックを広げるスペースを調理場にとれなかったりすることも考えられる。さらに、必要な材料を買出しに行くために大きなクックブックを持ち歩くのは不便であり、クックブックからメモをとるのも二度手間である。
【０００６】
これに対し、従来の加熱調理器としては、ディジタル記録媒体に各種の調理レシピを記録し選択されたレシピを表示部に表示させるものがあった（例えば、特許文献１参照）。この技術によれば、クックブックの汚損・破損・紛失を防ぐことができ、また調理メニューの検索の手間やクックブックを広げるスペースの問題も回避できる。
【先行技術文献】
【特許文献】
【０００７】
【特許文献１】登録実用新案第３１２３３０５号公報
【発明の概要】
【発明が解決しようとする課題】
【０００８】
しかしながら、前記従来の構成では本体表面に画像表示部が備えられており、画像表示部を見ながら作業しようとすると電子レンジを置く位置がシンク横などに制限され、逆に電子レンジの配置を自由にしようとするとユーザが表示部の確認できる位置まで移動せねばならない。
【０００９】
特にビルトインレンジの場合は設置場所がシンク下部のため、表示部を確認するために都度かがまなければならず、料理をしながら下準備の手順などを確認する点で課題があった。
【００１０】
また、調理に必要な材料を買出しに行く場合は画像表示部を確認してメモをとる必要があり、クックブックの課題を解決していなかった。
【００１１】
本発明は、前記従来の課題を解決するもので、自動調理メニューのレシピ情報を可搬型読取装置で読み取り可能な光学的データパターンで表示し使い勝手を向上させることを目的とする。
【課題を解決するための手段】
【００１２】
前記従来の課題を解決するために、本発明の加熱調理器は、被加熱物を加熱するための加熱手段と、加熱手段を制御する制御手段と、調理メニューを選択する選択手段と、少なくとも調理方法および表示データを記憶している記憶手段と、記憶手段に記憶されている情報および加熱制御状態を表示する表示手段と、表示手段を制御する表示制御手段を備え、記憶手段に記憶される調理方法は、少なくとも、加熱調理器を制御する加熱条件（加熱モード、時間、温度等）からなる加熱制御情報と、材料、分量、手順を含む非加熱制御情報とを有し、表示制御手段は、選択手段により自動調理メニューを選択されると、記憶手段に記憶されている調理方法の中から該当する自動調理メニューの調理方法を取得し、その非加熱制御情報を、リンクを伴わない文字列、およびリンクを伴う文字列または図形、の少なくともどちらか一方を含む可搬型読取装置で読み取り可能な光学的データパターンで表示手段に表示するようにしたものである。
【００１３】
これによって、ユーザは自動調理メニューを選択するとレシピ情報を可搬型読取装置で読み取り可能な光学的データパターンとして表示させることでき、可搬型読取装置で読み取ることで材料や分量、下準備手順などの情報を簡単に取得かついつでも自由な場所で確認できる。
【発明の効果】
【００１４】
本発明の加熱調理器、加熱調理器の表示方法およびプログラムによれば、ユーザはクックブックを用意する必要なく自動調理メニューを決めるだけで簡単にレシピ情報（材料や分量、下準備手順などの情報）を取得かつ自由な場所で確認でき使い勝手を向上できるという効果がある。
【図面の簡単な説明】
【００１５】
【図１】本発明の実施の形態１における加熱調理器の概略構成図
【図２】本発明の実施の形態１における加熱調理器の制御ブロック図
【図３】本発明の実施の形態１における記憶手段２０３の調理方法の例を示す図
【図４】本発明の実施の形態１における表示手段１０２の表示例を示す図
【図５】本発明の実施の形態１における光学的データパターンから取得した情報とリンク先にアクセスした際に表示されるレシピの例を示す図
【図６】本発明の実施の形態２における記憶手段２０３の調理方法の例を示す図
【図７】本発明の実施の形態２における光学的データパターンから取得した情報とリンク先にアクセスした際に表示されるレシピの例を示す図
【図８】本発明の実施の形態３における記憶手段２０３の調理方法の例を示す図
【図９】本発明の実施の形態３における光学的データパターンから取得した情報とリンク先にアクセスした際に表示されるレシピの例を示す図
【図１０】本発明の実施の形態４における記憶手段２０３の調理方法の例を示す図
【図１１】本発明の実施の形態４における記憶手段２０３の応用メニューを管理するテーブルの例を示す図
【図１２】本発明の実施の形態４における表示手段１０２の表示例を示す図
【図１３】本発明の実施の形態４における光学的データパターンから取得した情報の例を示す図
【図１４】本発明の実施の形態４における制御フローチャート
【発明を実施するための形態】
【００１６】
第１の発明は、被加熱物を加熱するための加熱手段と、加熱手段を制御する制御手段と、調理メニューを選択する選択手段と、少なくとも調理方法および表示データを記憶している記憶手段と、記憶手段に記憶されている情報および加熱制御状態を表示する表示手段
と、表示手段を制御する表示制御手段を備え、記憶手段に記憶される調理方法は、少なくとも、加熱調理器を制御する加熱条件（加熱モード、時間、温度等）からなる加熱制御情報と、材料、分量、手順を含む非加熱制御情報とを有し、表示制御手段は、選択手段により自動調理メニューを選択されると、記憶手段に記憶されている調理方法の中から該当する自動調理メニューの調理方法を取得し、その非加熱制御情報を、リンクを伴わない文字列、およびリンクを伴う文字列または図形、の少なくともどちらか一方を含む可搬型読取装置で読み取り可能な光学的データパターンで表示手段に表示するように構成したものである。
【００１７】
これにより、ユーザは自動調理メニューを選択するとレシピ情報を可搬型読取装置で読み取り可能な光学的データパターンとして表示させることでき、可搬型読取装置で読み取ることで材料や分量、下準備手順などの情報を簡単に取得かついつでも自由な場所で確認できる。
【００１８】
第２の発明は、第１の発明において、光学的データパターンは、少なくとも材料と分量を含むリンクを伴わない文字列を含むように構成したものである。
【００１９】
これにより、ユーザは光学的データパターンを可搬型読取装置で読み取るだけでリンク先にアクセスすることなく材料と分量の情報を取得でき、必要な情報が材料と分量情報の場合、たとえば調理に必要な材料を買出しに行く場合は、操作をより簡略化できる他、リンク先へのアクセスを不要とすることで通信を介してデータを受信するための時間や消費電力、接続料金などを抑制することができ、使い勝手をさらに向上できる。
【００２０】
第３の発明は、記憶手段に記憶される調理方法は、同一の加熱制御情報で調理可能な他の料理の非加熱制御情報を含み、光学的データパターンは、選択手段により選択された自動調理メニューと同一の加熱制御情報で調理可能な他の料理の非加熱制御情報へのリンクを伴う文字列または図形を少なくとも１つ含むように構成したものである。
【００２１】
これにより、ユーザは自動調理メニューを選択するのと同じ操作で、選択した調理メニュー以外で自動調理できる応用メニューを調理することができる。
【００２２】
第４の発明は、自動調理メニューの料理と同一の加熱制御情報で調理可能で自動調理メニューとしては登録されていない料理を選択するための応用メニューをさらに備え、制御手段は、選択手段により選択された自動調理メニューが調理された回数をカウントして記憶手段に記憶し、記憶手段に記憶される自動調理メニューの調理回数が一定回数を超えたことを検出すると、自動調理メニューを応用メニューとして記憶手段に記憶し、表示制御手段は、選択手段により応用メニューを選択されると、記憶手段に記憶されている応用メニューを参照し、応用メニューとして記憶されている自動調理メニューと同一の加熱制御情報で調理可能な他の料理の非加熱制御情報を、リンクを伴わない文字列、およびリンクを伴う文字列または図形、の少なくともどちらか一方を含む可搬型読取装置で読み取り可能な光学的データパターンで表示手段に表示するように構成したものである。
【００２３】
これにより、ユーザは自動調理メニューとして登録されているメニュー以外で自動調理できる応用メニューの情報に便利にアクセスでき、自動調理機能をより便利に使うことができる。
【００２４】
第５の発明は、被加熱物を加熱するための加熱手段と、加熱手段を制御する制御手段と、調理メニューを選択する選択手段と、少なくとも調理方法および表示データを記憶している記憶手段と、記憶手段に記憶されている情報および加熱制御状態を表示する表示手段と、表示手段を制御する表示制御手段を備え、選択手段により自動調理メニューが選択さ
れると、記憶手段に記憶されている調理方法の中から該当する自動調理メニューの調理方法を、リンクを伴わない文字列、およびリンクを伴う文字列または図形、の少なくともどちらか一方を含む光学的データパターンで表示手段に表示する加熱調理器の料理レシピ表示方法である。
【００２５】
これにより、ユーザは自動調理メニューを選択すると調理方法を可搬型読取装置で読み取り可能な光学的データパターンとして表示させることでき、可搬型読取装置で読み取ることで材料や分量、下準備手順などの情報を簡単に取得かついつでも自由な場所で確認できる。
【００２６】
第６の発明は、コンピュータに第１から第４のいずれか１つの発明の少なくとも一部を実行させるプログラムであり、汎用コンピュータやサーバーを用いて本発明の全てもしくは一部を容易に実現することができる。
【００２７】
以下本発明の実施の形態について、図面を参照しながら説明する。なお、この実施の形態によって本発明が限定されるものではない。
【００２８】
（実施の形態１）
図１は本発明の実施の形態１における加熱調理器の概略構成図である。図２は、本発明の実施の形態１における加熱調理器の制御ブロック図である。
【００２９】
図１および図２において、加熱調理器１００は、被加熱物を加熱するための加熱手段２０１と、加熱手段２０１を制御する制御手段２０２と、調理メニューを選択する選択手段１０１と、少なくとも調理方法および表示データを記憶している記憶手段２０３と、記憶手段２０３に記憶されている情報および現在温度や残り時間などの加熱制御状態を表示する表示手段１０２と、表示手段１０２を制御する表示制御手段２０４から構成される。
【００３０】
加熱手段２０１は、非加熱物を加熱する装置であり、マグネトロンやヒータ、循環ファンなどで構成される。
【００３１】
制御手段２０２は、加熱手段２０１の制御のほか、加熱調理器１００の制御機能を提供するもので、マイクロコンピュータなどで形成され、ＲＡＭ（Ｒａｎｄａｍ  Ａｃｃｅｓｓ  Ｍｅｍｏｒｙ）やＲＯＭ（Ｒｅａｄ  Ｏｎｌｙ  Ｍｅｍｏｒｙ）などのメモリである記憶手段２０３に必要な設定情報を記憶し、加熱調理器１００を機能させている。
【００３２】
選択手段１０１は、調理メニューを選択する機能であり、ボタン、ダイヤル、レバー、などで構成される。なお、選択手段１０１をタッチパネルで構成し表示手段１０２と兼用してもよい。また、選択手段１０１は、加熱モード、時間、温度等、加熱制御に必要な情報の設定や、操作の決定・取消など、加熱調理器１００を操作する機能を備えていてもよいし、調理メニュー選択のための専用手段として構成してもよい。
【００３３】
表示手段１０２は、記憶手段２０３に記憶されている情報および加熱制御状態を表示する装置であり、ドットマトリクス液晶である。
【００３４】
表示制御手段２０４は、選択手段１０１と記憶手段２０３の情報に基づいて表示手段１０２を制御するもので制御手段２０２の一部である。
【００３５】
以上のように構成された加熱調理器について、以下その動作・作用を説明する。なお、本実施の形態は可搬型読取装置で読み取り可能な光学的データパターン１０３をＱＲコード、可搬型読取装置を携帯電話として説明するがこれに限るものではない。
【００３６】
光学的データパターン１０３は、その他の２次元コード（マイクロＱＲコード、ＤａｔａＭａｔｒｉｘ、ＰＤＦ４１７、Ｍａｘｉ  Ｃｏｄｅ、Ｖｅｒｉ  Ｃｏｄｅなど）やバーコード、独自に開発した光学的データパターンであってもよい。また、可搬型読取装置も、それぞれのデータの専用の読み取り装置であってもよい。
【００３７】
また、光学的データパターン１０３の表示位置は図１の例に限るものではなく、表示手段１０２のいずれかの場所に表示されていればよい。
【００３８】
制御手段２０２は、選択手段１０１から自動調理メニューの検出信号を受け取ると、検出した自動調理メニューの調理方法の表示指示を表示制御手段２０４に送信する。表示制御手段２０４は、制御手段２０２から調理方法の表示指示を受け取ると、記憶手段２０３に記憶されている調理方法の中から該当する自動調理メニューの調理方法を取得する。
【００３９】
記憶手段２０３には、自動調理メニューとその調理方法が関連付けられて記憶されている（図３）。調理方法は、少なくとも、加熱調理器を制御する加熱条件（加熱モード、時間、温度等）からなる加熱制御情報と、材料、分量、手順を含む非加熱制御情報とを有する。
【００４０】
本実施の形態の非加熱制御情報は、レシピ情報を記載したＷＥＢページへのアドレスを記憶しているものとする。表示制御手段２０４は、記憶手段２０３から取得した非加熱制御情報を光学的データパターン・ＱＲコードにて表示手段１０２に表示する（図４）。
【００４１】
光学的データパターンとしての表示は、光学的データパターンを生成する光学的データパターン生成手段２０５を備え、記憶手段２０３から取得した非加熱制御情報を光学的データパターン生成手段２０５により光学的データパターンに変換して表示してもよいし、あらかじめ記憶手段２０３に光学的データパターンの表示データを記憶しておいてもよい（図３（ｂ）参照）。
【００４２】
なお、表示手段１０２に表示する情報はＱＲコードのみであってもよいし、調理メニューなどその他の情報を同時に表示してもよい。
【００４３】
図５（ａ）〜図５（ｄ）に携帯電話でＱＲコードを読み取った際に表示される情報の例を示す。また、図５（ｅ）にＱＲコードから取得したリンク先にアクセスした際に表示されるレシピ情報の例を示す。なお、本実施の形態ではリンク先はレシピ情報を記載したＷＥＢページとする。
【００４４】
図５（ａ）は、リンクを伴わない文字列とリンクを伴う文字列を含むＱＲコードを携帯電話で読み取った際に表示される情報の例である。自動調理メニュー名「ハンバーグ
」および「作り方」の文字列はリンクを伴わない文字列であり、「ｈｔｔｐ：／／．．．」はレシピ情報を記載したＷＥＢページへのリンクを伴う文字列である。
【００４５】
ユーザはＷＥＢページへアクセスすることで材料、分量、手順などの調理に必要なレシピ情報を取得することができる（図５（ｅ））。
【００４６】
図５（ｂ）は、リンクを伴わない文字列とリンクを伴う図形含むＱＲコードを携帯電話で読み取った際に表示される情報の例である。自動調理メニュー名「ハンバーグ」および「作り方はイラストをクリック」の文字列はリンクを伴わない文字列であり、ハンバーグのイメージはレシピ情報を記載したＷＥＢページへのリンクを伴う図形である。
【００４７】
図５（ａ）と同様、ＷＥＢページへアクセスすることで材料、分量、手順などの調理に必要なレシピ情報を取得することができる（図５（ｅ））。
【００４８】
図５（ｃ）は、リンクを伴わない文字列のみ含むＱＲコードを携帯電話で読み取った際に表示される情報の例である。材料、分量、手順などの調理に必要なレシピ情報はＱＲコードから取得した情報の中に含まれている。
【００４９】
図５（ｄ）は、リンクを伴う文字列のみを含むＱＲコードを携帯電話で読み取った際に表示される情報の例である。図５（ａ）と同様、ＷＥＢページへアクセスすることで材料、分量、手順などの調理に必要なレシピ情報を取得することができる（図５（ｅ））。
【００５０】
このように、ユーザは自動調理メニューを選択するとレシピ情報をＱＲコードとして表示させることができ、携帯電話でＱＲコードを読み取ることで材料、分量、手順などの調理に必要な情報を簡単に取得かついつでも自由な場所で確認できる。
【００５１】
例えば、電子レンジの設置場所が背面であっても作業スペース（主にシンク）から離れた位置であっても、ビルトインレンジのような低い位置にあったとしても、表示手段に表示されたＱＲコードを携帯電話で読み取ることで手元の見やすい位置でレシピを確認することができ、身体への負担やレンジのある場所への移動の手間などを削減することができる。
【００５２】
また、調理に必要な材料を買出しに行く場合も、表示手段に表示されたＱＲコードを携帯電話で読み取ることで材料や分量のメモをわざわざとる必要がなくなる。このように、自動調理メニューを使うユーザの使い勝手を向上させることができる。
【００５３】
なお、光学的データパターンに含まれるリンクを伴わない文字列およびリンクを伴う文字列または図形は、本実施の形態で説明した文字列または図形に限られるものではない。また、複数のリンク先を伴ってもよい。例えば、作り方のステップ毎にリンク先を分けてもよいし、材料、手順、などの分類で複数に分けてもよい（図５（ｆ）参照）。
【００５４】
これにより、ユーザは必要な情報を選択して取得することができ、不要な情報取得を回避することで通信を介してデータを受信するための時間や消費電力、接続料金などを抑制することができる。なお、図３の非加熱制御情報には光学的データパターンとして表示させたい情報を含んでおく必要がある（図３（ｃ）参照）。
【００５５】
（実施の形態２）
次に、本発明における第２の実施の形態について説明する。
【００５６】
本実施の形態と第１の実施の形態の異なる点は、光学的データパターンを、材料と分量を含むリンクを伴わない文字列、および、手順を含む料理の詳細情報へのリンクを伴う文字列により構成した点にある。
【００５７】
図６（ａ）に記憶手段２０３に記憶されている調理方法の例を示す。本実施の形態の非加熱制御情報は、材料・分量に関する情報（文字列）、および調理手順などの料理の詳細情報を記載したＷＥＢページのアドレスを記憶しているものとする。
【００５８】
制御処理は第１の実施の形態と同様のため説明を省略する。
【００５９】
図７（ａ）に携帯電話でＱＲコードを読み取った際に表示される情報の例を示す。また、図７（ｂ）にＱＲコードから取得したリンク先にアクセスした際に表示される手順を含
む料理の詳細情報の例を示す。
【００６０】
図７（ａ）の自動調理メニュー名「ハンバーグ」および「材料・・４人分…」および「作り方」はリンクを伴わない文字列であり、「ｈｔｔｐ：／／．．．」は調理手順などの料理の詳細情報を記載したＷＥＢページへのリンクを伴う文字列である。
【００６１】
これにより、材料と分量の情報取得にはリンク先へのアクセスが不要となる。必要な情報が材料と分量情報の場合、たとえば調理に必要な材料を買出しに行く場合は、操作をより簡略化できる他、リンク先へのアクセスを不要とすることで通信を介してデータを受信するための時間や消費電力、接続料金などを抑制することができ、使い勝手をさらに向上できる。
【００６２】
なお、本実施の形態では、光学的データパターンを、材料と分量を含むリンクを伴わない文字列、および、手順を含む料理の詳細情報へのリンクを伴う文字列により構成するとして説明したが、リンクを伴う文字列ではなくリンクを伴う図形であってもよい（図７（ｃ）参照）。また、複数のリンク先を伴ってもよい。例えば、手順の説明の詳細レベルに応じてリンク先を分けてもよい。
【００６３】
手順の説明の詳細レベルに応じてリンクを伴う文字列を複数備えた場合の、記憶手段２０３に記憶されている調理方法の例を図６（ｂ）に、携帯電話でＱＲコードを読み取った際に表示される情報の例を図７（ｄ）に、また、ＱＲコードから取得したリンク先にアクセスした際に表示される手順を含む料理の詳細情報を図７（ｅ）、図７（ｆ）に示す。
【００６４】
図７（ｅ）はテキストのみで手順を説明するＷＥＢページであり、図７（ｆ）はイメージや動画を含んで手順を説明するＷＥＢページである。
【００６５】
図７（ｄ）の自動調理メニュー名「ハンバーグ」、「材料・・４人分…」、「作り方（テキスト）」、「作り方（動画付き）」はリンクを伴わない文字列であり、「ｈｔｔｐ：／／．．．」は調理手順などの料理の詳細情報を記載したＷＥＢページへのリンクを伴う文字列である。
【００６６】
ここで、「作り方（テキスト）」の下部にある「ｈｔｔｐ：／／．．．」はテキストのみで手順を説明するＷＥＢページへの、「作り方（動画付き）」の下部にある「ｈｔｔｐ：／／．．．」はイメージや動画を含んで手順を説明するＷＥＢページへのリンクをそれぞれ伴っている。
【００６７】
このように手順の説明の詳細レベルに応じてリンク先を分けることで、初心者のユーザは詳細に手順説明のあるリンク先へアクセスし、ある程度下準備の手順を把握しているユーザは簡単な説明のみのリンク先へアクセスする、また既に手順を心得ている熟練ユーザはリンク先にはアクセスせず材料・分量情報のみを取得するなど、必要に応じてユーザが使い方を判断できる。
【００６８】
リンク先から取得する情報量を低減できれば、通信を介してデータを受信するための時間や消費電力、接続料金などを抑制することができ、使い勝手をさらに向上できる。
【００６９】
また、光学的データパターンを全てリンクを伴わない文字列で構成してもよい（図５（ｃ）参照）。ただし、光学的データパターンは取得できる文字数が多いほどパターンが複雑化するため、材料・分量のみをリンクを伴わない文字列とするほうが、パターンの複雑化を防ぎ読み取り失敗を低減できる。
【００７０】
材料と分量を含むリンクを伴わない文字列を含む光学的データパターンであれば、その文字列の表現、図形、リンク先、リンク数などは本実施の形態で説明したものに限られるものではない。
【００７１】
（実施の形態３）
次に、本発明における第３の実施の形態について説明する。
【００７２】
本実施の形態と第１の実施の形態ならびに第２の実施の形態の異なる点は、記憶手段２０３に記憶される調理方法の非加熱制御情報に同一の加熱制御情報で調理可能な他の料理の非加熱制御情報を含む点である。
【００７３】
図８に記憶手段２０３に記憶されている調理方法の例を示す。本実施の形態の非加熱制御情報は、材料・分量に関する情報（文字列）、および調理手順などの料理の詳細情報を記載したＷＥＢページのアドレス、および同一の加熱制御情報で調理可能な他の料理の情報が取得できるＷＥＢページのアドレスを記憶しているものとする。
【００７４】
制御処理は第１の実施の形態と同様のため説明を省略する。
【００７５】
図９（ａ）に携帯電話でＱＲコードを読み取った際に表示される情報の例を示す。また、図９（ｂ）にＱＲコードから取得した「応用メニュー」のリンク先にアクセスした際に表示されるＷＥＢページの例を示す。「作り方」のリンク先にアクセスした際に表示されるＷＥＢページは図７（ｂ）と同様とする。
【００７６】
図９（ａ）の自動調理メニュー名「ハンバーグ」および「材料・・４人分…」および「作り方」、「応用メニュー」はリンクを伴わない文字列であり、「ｈｔｔｐ：／／．．．」は調理手順などの料理の詳細情報を記載したＷＥＢページへのリンクを伴う文字列である。
【００７７】
ここで、「作り方」の下部にある「ｈｔｔｐ：／／．．．」はハンバーグの調理手順などの詳細情報を記載したＷＥＢページへの、「応用メニュー」の下部にある「ｈｔｔｐ：／／．．．」はハンバーグと同一の加熱制御情報で調理可能な他の料理の情報が取得できるＷＥＢページ（以降応用メニューページ）へのリンクをそれぞれ伴っている。
【００７８】
応用メニューページには、ハンバーグと同一の加熱制御情報で調理可能な他の料理のレシピ情報を記載したＷＥＢページへのリンクがさらにあり、ユーザはこのリンク先のＷＥＢページへアクセスすることで他の料理のレシピ情報を取得することができる（図９（ｃ）参照）。この応用メニューの料理はハンバーグと同一の加熱制御で調理可能なため、材料と下準備をレシピ通り行えば後は自動調理することができる。
【００７９】
これにより、ユーザは選択した調理メニュー以外にも調理可能な料理の情報を取得することができ、調理の幅を広げることができる。また、ＷＥＢサイト運営側で応用メニューとして掲載するレシピ情報を増やすことで、ユーザは購入時よりも多くの調理メニューを使うことができ、飽きずに楽しく使い続けることができる。
【００８０】
（実施の形態４）
次に、本発明における第４の実施の形態について説明する。
【００８１】
本実施の形態と第１から第３の実施の形態の異なる点は、自動調理メニューの分類の１つとして「応用メニュー」を備える点である（図１２（ａ）の「おすすめ応用」）。
【００８２】
以下その動作・作用を図１４の制御フローチャートを使用して説明する。
説明する。
【００８３】
制御手段２０２は、選択手段１０１により選択された自動調理メニューの調理回数をカウントし、自動調理メニューに関連づけて記憶手段２０３に記憶する（Ｓ１４０３でＹＥＳ、Ｓ１４０４、図１０）。
【００８４】
記憶手段２０３に記憶されている自動調理メニューの調理回数が一定回数を超えたことを検出すると（Ｓ１４０５でＹＥＳ）、記憶手段２０３に記憶されている応用メニューを管理するテーブルに調理メニューＩＤを登録する（Ｓ１４０６、図１１）。
【００８５】
制御手段２０２は、選択手段１０１から自動調理メニューの検出信号を受け取ると（Ｓ１４０１でＹＥＳ）、検出した自動調理メニューの調理方法の表示指示を表示制御手段２０４に送信する（Ｓ１４０２）。
【００８６】
表示制御手段２０４は、制御手段２０２から調理方法の表示指示を受け取ると、記憶手段２０３に記憶されている調理方法の中から該当する自動調理メニューの調理方法を取得し、その非加熱制御情報を光学的データパターンとして表示する。選択された自動調理メニューが応用メニュー以外の調理メニューの場合は実施の形態１と同様のため説明を省略する。
【００８７】
以下、応用メニューを選択された場合（Ｓ１４０７でＹＥＳ、Ｓ１４０８）について説明する。
【００８８】
表示制御手段２０４は、記憶手段２０３に記憶されている応用メニューを管理するテーブルを参照し、登録されている自動調理メニューの応用メニューページへのリンクを伴う文字列または図形を含む光学的データパターン（ＱＲコード）を表示手段１０２に表示する（図１２（ｂ）参照）。
【００８９】
光学的データパターンとしての表示は、該当する調理メニューの非加熱制御情報に登録されている応用メニューページのアドレスを光学的データパターン生成手段２０５により光学的データパターンに変換して表示してもよいし、あらかじめ応用メニューを管理するテーブルに光学的データパターンの表示データを記憶しておいてもよい（図１１（ｂ）参照）。
【００９０】
なお、応用メニューを管理するテーブルに複数の自動調理メニューが登録されている場合は、ユーザの操作に応じて表示する応用メニューを切り替えることとする（図１１（ｃ）参照）。
【００９１】
図１３（ａ）に携帯電話でＱＲコードを読み取った際に表示される情報の例を示す。また、図１３（ｂ）にＱＲコードから取得した「応用メニュー」のリンク先にアクセスした際に表示されるＷＥＢページ（応用メニューページ）の例を示す。図１３（ｃ）は、応用メニューのレシピ情報を記載したＷＥＢページの例である。ＱＲコードで取得する情報およびＷＥＢページは実施の形態３と同様のため説明を省略する。
【００９２】
これにより、ユーザは自動調理メニューとして登録されているメニュー以外で自動調理できる応用メニューの情報に便利にアクセスでき、自動調理機能をより便利に使うことができる。
【００９３】
なお、本実施の形態では自動調理メニューの調理回数が一定回数を超えたことを検出す
ると、記憶手段２０３に記憶されている応用メニューを管理するテーブルに調理メニューＩＤを登録するとして説明したが、調理回数の多いメニューから上位数メニューを登録し、上位から順に表示するとしてもよい。
【００９４】
これにより、ユーザはよく利用する自動調理メニューに関連する応用メニューをより便利に利用することができる。
【００９５】
また、一定期間ごとに調理回数をリフレッシュし、最近よく使う自動調理メニューを登録するようにしてもよい。これにより、過去好んで使っていた自動調理メニューに影響されることなく最近の嗜好に合わせてより便利に自動調理機能を使うことができる。
【００９６】
また、初回はあらかじめダミーの応用メニューを登録しておいてもよいし、応用メニューが登録されていない旨を表示させてもよい。
【産業上の利用可能性】
【００９７】
以上、詳細に説明したように、本発明は、電子レンジ等の加熱調理器に適用できる。
【符号の説明】
【００９８】
１００  加熱調理器
１０１  選択手段
１０２  表示手段
１０３  光学的データパターン
２０１  加熱手段
２０２  制御手段
２０３  記憶手段
２０４  表示制御手段
２０５  光学的データパターン生成手段
【図１】
2012251723.tif 000003
【図２】
2012251723.tif 000004
【図３】
2012251723.tif 000005
【図４】
2012251723.tif 000006
【図５】
2012251723.tif 000007
【図６】
2012251723.tif 000008
【図７】
2012251723.tif 000009
【図８】
2012251723.tif 000010
【図９】
2012251723.tif 000011
【図１０】
2012251723.tif 000012
【図１１】
2012251723.tif 000013
【図１２】
2012251723.tif 000014
【図１３】
2012251723.tif 000015
【図１４】
2012251723.tif 000016